【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
放射線療法システムであって、
固定フレームと、最大約７０ＲＰＭまで回転するように構成されている回転可能リングとを備えるガントリと、
前記固定フレームと前記回転可能リングとの間に位置し、前記回転可能リングが最大約７０ＲＰＭまで回転している間に前記固定フレームと前記回転可能リングとの間で電気信号を通信するように構成されているスリップリングと、
前記ガントリ上に搭載される治療放射線源と、
前記ガントリ上に搭載される１つ以上の陽電子放出断層撮影（ＰＥＴ）検出器と
を備える、システム。
【請求項２】
前記回転可能リング上に位置する第１のコントローラと、前記固定フレーム上の第２のコントローラとをさらに備え、前記第１のコントローラは、前記治療放射線源および前記１つ以上のＰＥＴ検出器のための制御コマンドを生成し、前記第２のコントローラは、ガントリ運動システムのための制御コマンドを生成し、前記第１のコントローラと前記第２のコントローラとの間の同期化データは、前記スリップリングを介して転送される、請求項１に記載のシステム。
【請求項３】
前記第１のコントローラは、前記治療放射線源のアクティブ化およびＰＥＴデータの取得のための信号を生成するように構成され、前記第２のコントローラは、回転のための信号を生成するように構成され、同期化信号は、前記治療放射線源のアクティブ化、ＰＥＴデータの取得、およびガントリ運動を同期化するように、前記スリップリングを介して前記第１のコントローラと前記第２のコントローラとの間で伝送される、請求項２に記載のシステム。
【請求項４】
前記スリップリングは、データブラシブロックと、電力ブラシブロックとを備える、請求項１に記載のシステム。
【請求項５】
前記回転可能リングは、ドラムを備え、前記ドラムは、第１のリング状の端面と、前記第１のリング状の端面の反対側の第２のリング状の端面と、前記リングが最大約７０ＲＰＭまで回転するときに前記第１の端面および前記第２の端面の偏向が約０．５ｍｍ未満であるような前記第１の端面と前記第２の端面との間の長さとを有する、請求項１に記載のシステム。
【請求項６】
前記ガントリを封入する容積を画定する筐体をさらに備え、前記筐体は、前記治療放射線源および前記１つ以上のＰＥＴ検出器へのアクセスを可能にするように構成されている前記ドラムの長さに沿った１つ以上の側方ハッチを備える、請求項５に記載のシステム。
【請求項７】
前記回転可能リングの周囲の複数の回転子要素と、前記回転子要素の向かい側で前記固定フレーム内に封入される固定子要素と、前記複数の回転子要素に隣接して位置する玉軸受とを備える運動システムをさらに備える、請求項１に記載のシステム。
【請求項８】
前記複数の回転子要素は、１つ以上の磁気または誘導要素を備え、前記固定子要素は、コイルを備える、請求項７に記載のシステム。
【請求項９】
前記治療放射線源は、線形加速器（リニアック）と、マグネトロンとを備え、前記リニアックは、第１の搭載アセンブリによって前記ドラムの長さに沿って取り付けられ、前記リニアックおよび第１の搭載アセンブリから分離している放射線遮蔽内に封入され、前記マグネトロンは、前記マグネトロンのカソード支持体が、前記回転可能リングが最大約７０ＲＰＭまで回転している間に生成される求心力の方向と整合されるように、前記ドラムの長さに沿って半径方向に搭載される、請求項５に記載のシステム。
【請求項１０】
前記放射線遮蔽は、前記第１の搭載アセンブリから分離している第２の搭載アセンブリを使用して、前記ガントリに搭載される、請求項９に記載のシステム。
【請求項１１】
前記第２の搭載アセンブリは、前記第１の搭載アセンブリに直接接触しない、請求項１０に記載のシステム。
【請求項１２】
前記第１の搭載アセンブリおよび前記第２の搭載アセンブリは、空隙によって分離される、請求項１０に記載のシステム。
【請求項１３】
前記放射線遮蔽および前記第２の搭載アセンブリは、前記リニアックに接触しない、請求項１０に記載のシステム。
【請求項１４】
前記リニアックおよび前記放射線遮蔽は、空隙によって分離される、請求項１０に記載のシステム。
【請求項１５】
ボールねじを使用して前記リニアックおよび前記第１の搭載アセンブリに結合されるアクチュエータをさらに備え、前記リニアックの場所は、前記アクチュエータによって調節されるように構成されている、請求項１０に記載のシステム。
【請求項１６】
前記アクチュエータは、除去可能である、請求項１５に記載のシステム。
【請求項１７】
前記アクチュエータは、遠隔場所から制御可能である、請求項１５に記載のシステム。
【請求項１８】
前記回転可能ガントリは、部屋の中に位置し、前記遠隔場所は、前記部屋の外にある、請求項１７に記載のシステム。
【請求項１９】
前記回転可能リングに搭載される第１の受信機要素と、前記回転可能リングが移動している間に第１の複数の信号を前記第１の受信機要素に伝送するように構成されている、前記固定フレームに搭載される第１の伝送機要素とを備える第１の通信インターフェースと、
前記回転可能リングに搭載される第２の伝送機要素と、前記固定フレームに搭載される第２の受信機要素とを備える第２の通信インターフェースであって、前記第２の伝送機要素は、前記回転可能リングが移動している間に第２の複数の信号を前記第２の受信機要素に伝送するように構成されている、第２の通信インターフェースと
をさらに備える、請求項１に記載のシステム。
【請求項２０】
前記第１の複数の信号は、前記第１の通信インターフェースを横断して伝送され、前記第２の複数の信号は、同時に前記第２の通信インターフェースを横断して伝送される、請求項１９に記載のシステム。
【請求項２１】
前記治療放射線源の前に配置されるマルチリーフコリメータをさらに備え、前記マルチリーフコリメータは、前記第２の受信機要素への伝送のために、前記マルチリーフコリメータの個々のリーフの位置データを前記第２の伝送機要素に伝送するように構成されている、請求項１９に記載のシステム。
【請求項２２】
前記第２の複数の信号は、ガントリ回転速度データを備える、請求項１９に記載のシステム。
【請求項２３】
前記第２の複数の信号は、前記１つ以上のＰＥＴ検出器からの陽電子放出データを備える、請求項１９に記載のシステム。
【請求項２４】
前記治療放射線源の向かい側で前記回転可能リング上に搭載される放射線検出器をさらに備え、前記第２の複数の信号は、前記放射線検出器からの放射線データを備える、請求項１９に記載のシステム。
【請求項２５】
前記回転可能リング上に位置する第１のコントローラと、前記固定フレーム上の第２のコントローラとをさらに備え、前記第２のコントローラは、前記第１の伝送機要素と通信し、前記第１の複数の信号は、前記第２のコントローラからの放射線源コマンドを備える、請求項１９に記載のシステム。
【請求項２６】
前記治療放射線源の前に配置されるマルチリーフコリメータをさらに備え、前記第１の複数の信号は、前記第２のコントローラからのマルチリーフコリメータコマンドを備える、請求項２５に記載のシステム。
【請求項２７】
前記第１の複数の信号は、前記第２のコントローラからのガントリ回転コマンドを備える、請求項２５に記載のシステム。
【請求項２８】
前記第１の通信インターフェースおよび前記第２の通信インターフェースは、誘導信号転送方法を使用して信号を伝送する、請求項１９に記載のシステム。
【請求項２９】
前記第１の通信インターフェースおよび前記第２の通信インターフェースは、容量信号転送方法を使用して信号を伝送する、請求項１９に記載のシステム。
【請求項３０】
前記回転可能リングに搭載され、前記第１の受信機要素と通信する第１の位置センサと、前記固定フレームに搭載され、前記第２の受信機要素と通信する第２の位置センサとをさらに備える、請求項１９に記載のシステム。
【請求項３１】
前記回転可能リングは、前記リングの円周の周囲に位置し、前記第２の位置センサによって検出可能である複数のインデックスマーカを備え、前記固定フレームは、前記フレームの円周の周囲に位置し、前記第１の位置センサによって検出可能である複数のインデックスマーカを備える、請求項３０に記載のシステム。
【請求項３２】
前記第１の複数の信号は、前記第１の位置センサからのインデックスマーカデータを備え、前記第２の複数の信号は、前記第２の位置センサからのインデックスマーカデータを備え、前記システムは、前記第１の複数の信号および前記第２の複数の信号を受信および比較し、前記第１の複数の信号および前記第２の複数の信号の差異を識別するように構成されているコントローラをさらに備える、請求項３１に記載のシステム。
【請求項３３】
前記コントローラは、前記第１の複数の信号および前記第２の複数の信号の間の差異を示すための信号を生成するように構成されている、請求項３２に記載のシステム。
【請求項３４】
前記第１の複数の信号は、前記第１の位置センサからの前記回転可能リングの角度位置データを備え、前記第２の複数の信号は、前記第２の位置センサからの前記回転可能リングの角度位置データを備え、前記システムは、前記第１の複数の信号および前記第２の複数の信号を受信および比較し、前記第１の複数の信号および前記第２の複数の信号の差異を識別するように構成されているコントローラをさらに備え、前記第１の複数の信号と第２の複数の信号との間の前記差異を識別することは、
経時的に前記第１の複数の信号の導関数を計算することと、
経時的に前記第２の複数の信号の導関数を計算することと、
前記計算された導関数の間の差異を決定することと、
前記差異が事前決定された閾値を超える場合、位置センサ故障信号を生成することと
を含む、請求項３０に記載のシステム。
【請求項３５】
前記治療放射線源は、ビーム経路に沿って放出される放射線ビームを生成するように構成され、前記放射線ビームは、ｘ軸側面と、ｙ軸側面とを有する２次元投影を有し、前記システムは、前記ビーム経路内に配置されるビーム限定アセンブリをさらに備え、前記ビーム限定アセンブリは、
前記放射線ビームのｙ軸側面を成形するように構成されている上側ジョーと、
前記放射線ビームのｘ軸側面を成形するように構成されているマルチリーフコリメータと、
前記放射線ビームのｙ軸側面を成形するように構成されている下側ジョーであって、前記マルチリーフコリメータは、前記上側ジョーと前記下側ジョーとの間に位置する、下側ジョーと
を備える、請求項１に記載のシステム。
【請求項３６】
前記上側ジョーは、前記マルチリーフコリメータおよび前記下側ジョーよりも前記治療放射線源の近くに位置し、前記下側ジョーは、前記マルチリーフコリメータおよび前記上側ジョーよりも前記治療放射線源から遠くに位置する、請求項３５に記載のシステム。
【請求項３７】
前記治療放射線源は、線形加速器を備える、請求項３５に記載のシステム。
【請求項３８】
前記上側ジョーは、垂直軸に対して第１の角度で角度を付けられる内向きの面を備え、前記下側ジョーは、前記垂直軸に対して第２の角度で角度を付けられる内向きの面を備え、前記第１の角度は、前記第２の角度を上回る、請求項３５に記載のシステム。
【請求項３９】
前記放射線ビームは、ビーム広がりと、焦線によって画定されるビーム境界とを有し、前記上側ジョーは、前記焦線に沿って整合されていない内向きの面を備え、前記下側ジョーは、前記焦線に沿って整合されている内向きの面を備える、請求項３５に記載のシステム。
【請求項４０】
前記上側ジョーの内向きの面は、垂直軸に対して第１の角度で角度を付けられ、前記下側ジョーの内向きの面は、前記垂直軸に対して第２の角度で角度を付けられ、前記焦線は、前記垂直軸に対して第３の角度で角度を付けられる、請求項３９に記載のシステム。
【請求項４１】
前記第１の角度は、前記第２の角度を上回る、請求項４０に記載のシステム。
【請求項４２】
前記治療放射線源は、線形加速器（リニアック）と、マグネトロンとを備える、請求項１に記載のシステム。
【請求項４３】
前記マグネトロンは、前記リニアック内で電子を加速させるためのＲＦエネルギーを提供するように構成され、前記マグネトロンは、
中心空洞を含む１つ以上の空洞を有するリングアノードと、
前記リングアノードの中心空洞内に位置するカソードと
をさらに備え、前記カソード支持体は、前記カソードを前記リングアノードに結合し、前記カソード支持体の縦軸は、前記ガントリの半径方向軸に沿って整合される、
請求項４２に記載のシステム。
【請求項４４】
前記回転可能リングから前記固定フレームに熱を伝達する１つ以上の熱交換器を有する温度管理システムをさらに備える、請求項１に記載のシステム。
【請求項４５】
前記温度管理システムは、前記回転可能リングから前記固定フレーム上の冷却流体に熱を伝達する、請求項４４に記載のシステム。
【請求項４６】
前記１つ以上の熱交換器は、前記回転可能リングから生成される熱を前記固定フレームに伝達するように構成されている熱交換器の第１のセットと、前記固定フレームから外部ヒートシンクに前記熱を伝達するように構成されている熱交換器の第２のセットとを備える、請求項４４に記載のシステム。
【請求項４７】
前記外部ヒートシンクは、閉ループ設備液体システムである、請求項４６に記載のシステム。
【請求項４８】
前記回転可能リングに搭載される第２のガントリと、前記第２のガントリ上に搭載されるｋＶシステムとをさらに備える、請求項１に記載のシステム。
【請求項４９】
前記ｋＶシステムは、ビーム経路に沿って放出されるビームを生成するように構成されているｋＶ放射線源と、前記第２のガントリに搭載され、前記ｋＶ放射線源の前記ビーム経路内に配置されるコリメータとを備え、前記コリメータは、前記ビームを遮断する第１の構成と、前記ビームを伝送する第２の構成とを有する、請求項４８に記載のシステム。
【請求項５０】
前記コリメータは、回転して前記第１の構成と第２の構成との間で遷移する、請求項４９に記載のシステム。
【請求項５１】
前記コリメータは、放射線遮断材料から作製されるシリンダと、前記シリンダの縦軸を横断する開口とを備え、前記第１の構成では、前記開口は、前記ビーム経路に沿って整合されておらず、前記第２の構成では、前記開口は、前記ビーム経路に沿って整合される、請求項５０に記載のシステム。
【請求項５２】
前記ガントリは、ボアを備え、前記ボアは、第１の部分と、第２の部分とを備え、第２の部分の直径は、第１の部分の直径を上回る、請求項１に記載のシステム。
【請求項５３】
少なくとも前記第２の部分の領域を照明するように構成されている画像プロジェクタをさらに備える、請求項５２に記載のシステム。
【請求項５４】
前記画像プロジェクタからの照明は、画像およびビデオのうちの１つ以上のものを備える、請求項５３に記載のシステム。
【請求項５５】
前記ボアの表面に沿って配置されるフレキシブルディスプレイをさらに備える、請求項５２に記載のシステム。
【請求項５６】
前記フレキシブルディスプレイは、有機発光ダイオード（ＯＬＥＤ）ディスプレイである、請求項５５に記載のシステム。
【請求項５７】
前記ボア内で音を出力するように構成されているオーディオデバイスをさらに備える、請求項５２に記載のシステム。
【請求項５８】
前記ボアの第２の部分を通して空気流を指向するように構成されている空気流デバイスをさらに備える、請求項５２に記載のシステム。
【請求項５９】
前記ボア内の患者の眼球位置および視線のうちの１つ以上のものを検出するように構成されている光学眼球追跡装置と、前記眼球位置および前記視線を使用して、前記画像プロジェクタからの照明を変化させるように構成されているプロセッサとをさらに備える、請求項５５に記載のシステム。
【請求項６０】
放射線療法システムであって、
回転可能ガントリであって、前記回転可能ガントリは、患者領域を備えており、患者プラットフォーム上で患者を受容し、放射線源からビームを出力するように構成されている、回転可能ガントリと、
前記患者領域中で前記患者を特定するように構成されている患者場所システムと、
前記患者領域中に配置されるマイクロホンアレイおよびスピーカアレイと、
前記患者場所システムを使用して患者の耳を特定するように、かつ前記マイクロホンアレイおよび前記耳の場所を使用して雑音消去信号を生成するように構成されているプロセッサであって、前記スピーカアレイは、前記雑音消去信号を出力するように構成されている、プロセッサと
を備える、システム。
【請求項６１】
前記マイクロホンアレイおよびスピーカアレイは、前記ガントリの端部内に配置される、請求項６０に記載のシステム。
【請求項６２】
放射線療法システムのための雑音消去の方法であって、
放射線療法システムの患者治療エリア内に配置される患者の耳の場所データを受信することと、
マイクロホンアレイを使用して、前記放射線療法システムから生成される雑音を受信することと、
前記耳の場所データおよび前記受信された雑音を使用して、雑音消去信号を生成することと、
スピーカアレイから前記消去信号を出力することと
を含む、方法。
【請求項６３】
前記患者を撮像し、前記耳の場所データを生成することをさらに含む、請求項６２に記載の方法。
【請求項６４】
放射線療法患者を処理するためのシステムであって、
位置合わせシステムと、
第１の患者プラットフォームと、
放射線療法システムと
を備え、
前記位置合わせシステムは、位置合わせ室内に配置され、第１の患者の身体を前記第１の患者プラットフォームに位置合わせするように構成され、
前記第１の患者プラットフォームは、前記位置合わせ室から放射線療法室へ前記第１の患者の身体を移動させるように構成され、
前記第１の患者プラットフォームは、前記放射線療法室内に配置される前記放射線療法システムにドッキングするように構成され、前記ドッキングすることは、前記第１の患者プラットフォームを前記放射線療法システムの患者治療領域の中へ移動させることを含み、
前記放射線療法システムは、前記第１の患者を治療するように構成される、システム。
【請求項６５】
放射線療法システムを動作させる方法であって、
放射線療法システムを提供することであって、前記放射線療法システムは、回転可能ガントリと、前記ガントリの患者領域中に配置されており、前記ガントリに対して移動するように構成されている患者プラットフォームと、前記ガントリに搭載されるコリメータであって、前記コリメータは、複数のガントリ角度から開閉するように構成されている複数のリーフを備える、コリメータと、前記コリメータに結合される放射線源とを備える、ことと、
開放リーフのセットと、対応するガントリ角度とを備える、患者の治療計画を受信することと、
前記放射線源および前記治療計画を使用して、前記コリメータから放射線ビームを出力することと、
前記治療計画を使用して、前記患者プラットフォームおよびガントリのうちの１つ以上のものの速度を変動させることと
を含む、方法。
【請求項６６】
患者身体構造を特定するためのシステムであって、
放射性基準と、
患者プラットフォームと、
位置合わせシステムと、
患者場所システムと
を備え、
前記放射性基準は、患者の外部に結合されるように構成され、前記放射性基準は、前記患者身体構造に対応し、
前記患者場所システムは、前記放射性基準と、前記患者プラットフォームに結合される前記患者とを特定するように構成され、
前記位置合わせシステムは、前記放射性基準の場所を使用して、前記患者身体構造を前記患者プラットフォームに位置合わせするように構成される、システム。
【請求項６７】
前記放射性基準は、ヒドロゲルを含む、請求項６６に記載のシステム。
【請求項６８】
前記放射性基準は、約５００キロボルト点源である、請求項６６に記載のシステム。
【請求項６９】
患者身体構造を特定するためのシステムであって、
放射性基準と、
患者プラットフォームと、
位置合わせシステムと、
患者場所システムと
を備え、
前記位置合わせシステムは、患者の着目内部領域を特定するように構成され、
前記放射性基準は、前記着目領域に埋め込まれるように構成され、
前記患者場所システムは、前記放射性基準と前記患者プラットフォームに結合される患者とを特定するように構成され、
前記位置合わせシステムは、前記放射性基準の場所を使用して、前記着目領域を前記患者プラットフォームに位置合わせするように構成される、システム。
【請求項７０】
前記１つ以上のＰＥＴ検出器は、前記ドラムの長さに沿って搭載される、請求項９に記載のシステム。
【請求項７１】
放射線療法システムであって、
固定フレームと、最大約７０ＲＰＭまで回転するように構成されている回転可能リングとを備えるガントリであって、前記回転可能リングは、ドラムを備え、前記ドラムは、第１のリング状の端面と、前記第１の端面の反対側の第２のリング状の端面と、前記リングが最大約７０ＲＰＭまで回転するときに前記第１の端面および前記第２の端面の偏向が約０．５ｍｍ未満であるような前記第１の端面と前記第２の端面との間の長さとを有する、ガントリと、
前記固定フレームと前記回転可能リングとの間に位置し、前記回転可能リングが最大約７０ＲＰＭまで回転している間に前記固定フレームと前記回転可能リングとの間で電気信号を通信するように構成されているスリップリングと、
線形加速器（リニアック）と、マグネトロンとを備える治療放射線源であって、前記リニアックは、第１の搭載アセンブリによって前記ドラムの長さに沿って取り付けられ、前記リニアックおよび第１の搭載アセンブリから分離している放射線遮蔽内に封入され、前記マグネトロンは、前記マグネトロンのカソード支持体が、前記回転可能リングが最大約７０ＲＰＭまで回転している間に生成される求心力の方向と整合されるように、前記ドラムの長さに沿って半径方向に搭載される、治療放射線源と、
前記ドラムの長さに沿って搭載される１つ以上の陽電子消滅放出（ＰＥＴ）検出器と
を備える、システム。
【請求項７２】
前記回転可能リングから前記固定フレーム上の冷却流体に熱を伝達する１つ以上の熱交換器を有する温度管理システムをさらに備える、請求項７１に記載のシステム。
【手続補正２】
【補正対象書類名】明細書
【補正対象項目名】００２４
【補正方法】変更
【補正の内容】
【００２４】
本明細書では、少なくとも３０ＲＰＭの速度で回転するように構成される、ガントリであって、固定フレームと、固定フレームに結合される回転可能リングとを備える、ガントリと、回転可能リング上に搭載される放射線源と、回転リングから生成される熱を固定フレームに伝達するように構成される、熱交換器の第１のセットと、固定フレームから外部ヒートシンクに熱を伝達するように構成される、熱交換器の第２のセットとを備える、温度管理システムとを備え得る、放射線療法システムが説明される。外部ヒートシンクは、閉ループ設備液体システムであってもよい。
本発明は、例えば、以下を提供する。
（項目１）
放射線療法システムであって、
固定フレームと、最大約７０ＲＰＭまで回転するように構成されている回転可能リングとを備えるガントリであって、前記回転可能リングは、ドラムを備え、前記ドラムは、第１のリング状の端面と、前記第１の端面の反対側の第２のリング状の端面と、前記リングが最大約７０ＲＰＭまで回転するときに前記第１および第２の端面の偏向が約０．５ｍｍ未満であるような前記第１の端面と前記第２の端面との間の長さとを有する、ガントリと、
前記固定フレームと前記回転可能リングとの間に位置し、前記回転可能リングが最大約７０ＲＰＭまで回転している間に前記固定フレームと前記回転可能リングとの間で電気信号を通信するように構成されているスリップリングと、
線形加速器（リニアック）と、マグネトロンとを備える治療放射線源であって、前記リニアックは、第１の搭載アセンブリによって前記ドラムの長さに沿って取り付けられ、前記リニアックおよび第１の搭載アセンブリから分離している放射線遮蔽内に封入され、前記マグネトロンは、前記マグネトロンのカソード支持体が、前記回転可能リングが最大約７０ＲＰＭまで回転している間に生成される求心力の方向と整合されるように、前記ドラムの長さに沿って半径方向に搭載される、治療放射線源と、
前記ドラムの長さに沿って搭載される１つ以上のＰＥＴ検出器と、
前記回転可能リングから前記固定フレーム上の冷却流体に熱を伝達する温度管理システムと
を備える、システム。
（項目２）
前記回転可能リング上に位置する第１のコントローラと、前記固定フレーム上の第２のコントローラとをさらに備え、前記第１のコントローラは、前記治療放射線源および前記１つ以上のＰＥＴ検出器のための制御コマンドを生成し、前記第２のコントローラは、ガントリ運動システムのための制御コマンドを生成し、前記第１のコントローラと前記第２のコントローラとの間の同期化データは、前記スリップリングを介して転送される、項目１に記載のシステム。
（項目３）
前記治療放射線源のアクティブ化およびＰＥＴデータの取得は、前記第１のコントローラによって生成される信号に基づき、前記リングの回転は、前記第２のコントローラによって生成される信号に基づき、同期化信号は、前記治療放射線源のアクティブ化、ＰＥＴデータの取得、およびガントリ運動を同期化するように、前記スリップリングを介してプロセッサの間で伝送される、項目２に記載のシステム。
（項目４）
前記スリップリングは、データブラシブロックと、電力ブラシブロックとを備える、項目１に記載のシステム。
（項目５）
前記ガントリを封入する容積を画定する筐体をさらに備え、前記筐体は、前記治療放射線源および１つ以上のＰＥＴ検出器へのアクセスを可能にするように構成されている前記ドラムの長さに沿った１つ以上の側方ハッチを備える、項目１に記載のシステム。
（項目６）
前記回転可能リングの周囲の複数の回転子要素と、前記回転子要素の向かい側で前記固定フレーム内に封入される固定子要素と、前記複数の回転子要素に隣接して位置する玉軸受とを備える運動システムをさらに備える、項目１に記載のシステム。
（項目７）
前記１つ以上の回転子要素は、１つ以上の磁気または誘導要素を備え、前記固定子要素は、コイルを備える、項目６に記載のシステム。
（項目８）
前記放射線遮蔽は、前記第１の搭載アセンブリから分離している第２の搭載アセンブリを使用して、前記ガントリに搭載される、項目１に記載のシステム。
（項目９）
前記第２の搭載アセンブリは、前記第１の搭載アセンブリに直接接触しない、項目８に記載のシステム。
（項目１０）
前記第１の搭載アセンブリおよび前記第２の搭載アセンブリは、空隙によって分離される、項目８に記載のシステム。
（項目１１）
前記放射線遮蔽および前記第２の搭載アセンブリは、前記リニアックに接触しない、項目８に記載のシステム。
（項目１２）
前記リニアックおよび前記放射線遮蔽は、空隙によって分離される、項目８に記載のシステム。
（項目１３）
ボールねじを使用してリニアックおよび前記第１の搭載アセンブリに結合されるアクチュエータをさらに備え、前記線形加速器の場所は、前記アクチュエータによって調節されるように構成されている、項目８に記載のシステム。
（項目１４）
前記アクチュエータは、除去可能である、項目１３に記載のシステム。
（項目１５）
前記アクチュエータは、遠隔場所から制御可能である、項目１３に記載のシステム。
（項目１６）
前記回転可能ガントリは、部屋の中に位置し、前記遠隔場所は、前記部屋の外にある、項目１５に記載のシステム。
（項目１７）
前記回転可能リングに搭載される第１の受信機要素と、前記回転可能リングが移動している間に第１の複数の信号を前記第１の受信機要素に伝送するように構成されている前記固定フレームに搭載される第１の伝送機要素とを備える第１の通信インターフェースと、
前記回転可能リングに搭載される第２の伝送機要素と、前記固定フレームに搭載される第２の受信機要素とを備える第２の通信インターフェースであって、前記第２の伝送機要素は、前記回転可能リングが移動している間に第２の複数の信号を前記第２の受信機要素に伝送するように構成されている、第２の通信インターフェースと
をさらに備える、項目１に記載のシステム。
（項目１８）
前記第１の複数の信号は、前記第１の通信インターフェースを横断して伝送され、前記第２の複数の信号は、同時に前記第２の通信インターフェースを横断して伝送される、項目１７に記載のシステム。
（項目１９）
前記放射線源の前に配置されるマルチリーフコリメータをさらに備え、前記マルチリーフコリメータは、前記第２の受信機要素への伝送のために、前記マルチリーフコリメータの個々のリーフの位置データを前記第２の伝送機要素に伝送するように構成されている、項目１７に記載のシステム。
（項目２０）
前記第２の複数の信号は、ガントリ回転速度データを備える、項目１７に記載のシステム。
（項目２１）
前記第２の複数の信号は、１つ以上の陽電子放出検出器からの陽電子放出データを備える、項目１７に記載のシステム。
（項目２２）
前記治療放射線源の向かい側で前記回転可能リング上に搭載される放射線検出器をさらに備え、前記第２の複数の信号は、前記放射線検出器からの放射線データを備える、項目１７に記載のシステム。
（項目２３）
前記第２のコントローラは、前記第１の伝送機要素と通信し、前記第１の複数の信号は、前記第２のコントローラからの放射線源コマンドを備える、項目１７に記載のシステム。
（項目２４）
前記放射線源の前に配置されるマルチリーフコリメータをさらに備え、前記第１の複数の信号は、前記第２のコントローラからのマルチリーフコリメータコマンドを備える、項目２３に記載のシステム。
（項目２５）
前記第１の複数の信号は、前記第２のコントローラからのガントリ回転コマンドを備える、項目２３に記載のシステム。
（項目２６）
前記第１の通信インターフェースおよび前記第２の通信インターフェースは、誘導信号転送方法を使用して信号を伝送する、項目１７に記載のシステム。
（項目２７）
前記第１の通信インターフェースおよび前記第２の通信インターフェースは、容量信号転送方法を使用して信号を伝送する、項目１７に記載のシステム。
（項目２８）
前記回転可能リングに搭載され、前記第１の受信機要素と通信する第１の位置センサと、前記固定フレームに搭載され、前記第２の受信機要素と通信する第２の位置センサとをさらに備える、項目１７に記載のシステム。
（項目２９）
前記回転可能リングは、前記リングの円周の周囲に位置し、前記第２の位置センサによって検出可能である複数のインデックスマーカを備え、前記固定フレームは、前記フレームの円周の周囲に位置し、前記第１の位置センサによって検出可能である複数のインデックスマーカを備える、項目２８に記載のシステム。
（項目３０）
前記第１の複数の信号は、前記第１の位置センサからのインデックスマーカデータを備え、前記第２の複数の信号は、前記第２の位置センサからのインデックスマーカデータを備え、前記システムはさらに、前記第１および第２の複数の信号を受信および比較し、前記第１および第２の複数の信号の差異を識別するように構成されているコントローラを備える、項目２９に記載のシステム。
（項目３１）
前記コントローラは、前記第１および第２の複数の信号の間の前記差異を示すための信号を生成するように構成されている、項目３０に記載のシステム。
（項目３２）
前記第１の複数の信号は、前記第１の位置センサからの回転可能リングの角度位置データを備え、前記第２の複数の信号は、前記第２の位置センサからの前記回転可能リングの角度位置データを備え、前記システムはさらに、前記第１および第２の複数の信号を受信および比較し、前記第１および第２の複数の信号の差異を識別するように構成されているコントローラを備え、前記第１の複数の信号と第２の複数の信号との間の前記差異を識別することは、
経時的に前記第１の複数の信号の導関数を計算することと、
経時的に前記第２の複数の信号の導関数を計算することと、
前記計算された導関数の間の差異を決定することと、
前記差異が事前決定された閾値を超える場合、位置センサ故障信号を生成することと
を含む、項目２８に記載のシステム。
（項目３３）
前記治療放射線源は、ビーム経路に沿って放出される放射線ビームを生成するように構成され、前記放射線ビームは、ｘ軸側面と、ｙ軸側面とを有する、２次元投影を有し、前記システムはさらに、前記ビーム経路内に配置されるビーム限定アセンブリを備え、前記ビーム限定アセンブリは、
前記放射線ビームのｙ軸側面を成形するように構成されている上側ジョーと、
前記放射線ビームのｘ軸側面を成形するように構成されているマルチリーフコリメータと、
前記放射線ビームのｙ軸側面を成形するように構成されている下側ジョーであって、前記マルチリーフコリメータは、前記上側ジョーと前記下側ジョーとの間に位置する、下側ジョーと
を備える、項目１に記載のシステム。
（項目３４）
前記上側ジョーは、前記マルチリーフコリメータおよび前記下側ジョーよりも前記放射線源の近くに位置し、前記下側ジョーは、前記マルチリーフコリメータおよび前記上側ジョーよりも前記放射線源から遠くに位置する、項目３３に記載のシステム。
（項目３５）
前記放射線源は、線形加速器を備える、項目３３に記載のシステム。
（項目３６）
前記上側ジョーは、垂直軸に対して第１の角度で角度を付けられる内向きの面を備え、前記下側ジョーは、垂直軸に対して第２の角度で角度を付けられる内向きの面を備え、前記第１の角度は、前記第２の角度未満である、項目３３に記載のシステム。
（項目３７）
前記放射線ビームは、ビーム広がりと、焦線によって画定されるビーム境界とを有し、上側ジョーは、前記焦線および前記下側ジョーに沿って整合されていない内向きの面を備える、項目３３に記載のシステム。
（項目３８）
前記上側ジョーの内向きの面は、垂直軸に対して第１の角度で角度を付けられ、前記下側ジョーの内向きの面は、前記垂直軸に対して第２の角度で角度を付けられ、前記焦線は、前記垂直軸に対して第３の角度で角度を付けられる、項目３７に記載のシステム。
（項目３９）
前記第１の角度は、前記第２の角度未満である、項目３８に記載のシステム。
（項目４０）
前記マグネトロンは、前記リニアック内で電子を加速させるためのＲＦエネルギーを提供するように構成され、前記マグネトロンはさらに、
中心空洞を含む１つ以上の空洞を有するリングアノードと、
前記リングアノードの中心空洞内に位置するカソードと
を備え、前記カソード支持体は、前記カソードを前記リングアノードに結合し、前記カソード支持体の縦軸は、前記ガントリの半径方向軸に沿って整合される、
項目１に記載のシステム。
（項目４１）
前記温度管理システムは、前記回転リングから生成される熱を前記固定フレームに伝達するように構成されている熱交換器の第１のセットと、前記固定フレームから外部ヒートシンクに前記熱を伝達するように構成されている熱交換器の第２のセットとを備える、項目１に記載のシステム。
（項目４２）
前記外部ヒートシンクは、閉ループ設備液体システムである、項目４１に記載のシステム。
（項目４３）
前記回転可能リングに搭載される第２のガントリと、前記第２のガントリ上に搭載されるｋＶシステムとをさらに備える、項目１に記載のシステム。
（項目４４）
前記ｋＶシステムは、ｋＶ放射線源と、前記ｋＶ放射線源のビーム経路内に配置される回転可能コリメータとを備え、前記回転可能コリメータは、前記ビームを遮断する第１の構成と、前記ビームを伝送する第２の構成とを有する、項目４３に記載のシステム。
（項目４５）
前記回転可能コリメータは、回転して前記第１の構成と第２の構成との間で遷移する、項目４４に記載のシステム。
（項目４６）
前記回転可能コリメータは、放射線遮断材料から作製されるシリンダと、前記シリンダの縦軸を横断する開口とを備え、前記第１の構成では、前記開口は、前記ビーム経路に沿って整合しておらず、前記第２の構成では、前記開口は、前記ビーム経路に沿って整合される、項目４５に記載のシステム。
（項目４７）
前記回転可能ガントリは、ボアを備え、前記ボアは、第１の部分と、第２の部分とを備え、第２の部分の直径は、第１の部分の直径を上回る、項目１に記載のシステム。
（項目４８）
少なくとも前記第２の部分の領域を照明するように構成されている画像プロジェクタをさらに備える、項目４７に記載のシステム。
（項目４９）
前記照明は、画像およびビデオのうちの１つ以上のものを備える、項目４８に記載のシステム。
（項目５０）
前記ボアの表面に沿って配置されるフレキシブルディスプレイをさらに備える、項目４７に記載のシステム。
（項目５１）
前記フレキシブルディスプレイは、有機発光ダイオード（ＯＬＥＤ）ディスプレイである、項目５０に記載のシステム。
（項目５２）
前記ボア内で音を出力するように構成されているオーディオデバイスをさらに備える、項目４７に記載のシステム。
（項目５３）
前記ボアの第２の部分を通して空気流を指向するように構成されている空気流デバイスをさらに備える、項目４７に記載のシステム。
（項目５４）
前記ボア内の患者の眼球位置および視線のうちの１つ以上のものを検出するように構成されている光学眼球追跡装置と、前記眼球位置および前記視線を使用して、前記照明を変化させるように構成されているプロセッサとをさらに備える、項目５０に記載のシステム。
（項目５５）
放射線療法システムであって、
回転可能ガントリであって、前記回転可能ガントリは、患者領域を備えており、患者プラットフォーム上で患者を受容し、放射線源からビームを出力するように構成されている、回転可能ガントリと、
前記患者領域中で前記患者を特定するように構成されている患者場所システムと、
前記患者領域中に配置されるマイクロホンアレイおよびスピーカアレイと、
前記患者場所システムを使用して患者の耳を特定するように、かつ前記マイクロホンアレイおよび前記耳の場所を使用して雑音消去信号を生成するように構成されているプロセッサであって、前記スピーカアレイは、前記雑音消去信号を出力するように構成されている、プロセッサと
を備える、システム。
（項目５６）
前記マイクロホンアレイおよびスピーカアレイは、前記ガントリの端部内に配置される、項目５５に記載のシステム。
（項目５７）
放射線療法システムのための雑音消去の方法であって、
放射線療法システムの患者治療エリア内に配置される患者の耳の場所データを受信することと、
マイクロホンアレイを使用して、前記放射線療法システムから生成される雑音を受信することと、
前記耳の場所データおよび前記受信された雑音を使用して、雑音消去信号を生成することと、
スピーカアレイから前記消去信号を出力することと
を含む、方法。
（項目５８）
前記患者を撮像し、前記耳の場所データを生成することをさらに含む、項目５７に記載の方法。
（項目５９）
放射線療法患者を処理する方法であって、
位置合わせ室内に配置される位置合わせシステムを使用して、第１の患者の身体を第１の患者プラットフォームに位置合わせすることと、
前記位置合わせ室から放射線療法室へ前記第１の患者プラットフォーム上の前記第１の患者の身体を移動させることと、
前記第１の患者プラットフォームを前記放射線療法室内に配置される放射線療法システムにドッキングすることであって、前記ドッキングすることは、前記第１の患者プラットフォームを前記放射線療法システムの患者治療領域の中へ移動させることを含む、ことと、
前記放射線療法システムを使用して、前記第１の患者を治療することと
を含む、方法。
（項目６０）
放射線療法システムを動作させる方法であって、
放射線療法システムを提供することであって、前記放射線療法システムは、回転可能ガントリと、前記ガントリの患者領域中に配置されており、前記ガントリに対して移動するように構成されている患者プラットフォームと、前記ガントリに搭載されるコリメータであって、前記コリメータは、複数のガントリ角度から開閉するように構成されている複数のリーフを備える、コリメータと、前記コリメータに結合される放射線源とを備える、ことと、
開放リーフのセットと、対応するガントリ角度とを備える、患者の治療計画を受信することと、
前記放射線源および前記治療計画を使用して、前記コリメータから放射線ビームを出力することと、
前記治療計画を使用して、前記患者プラットフォームおよびガントリのうちの１つ以上のものの速度を変動させることと
を含む、方法。
（項目６１）
患者身体構造を特定する方法であって、
放射性基準を患者の外部に結合することであって、前記放射性基準は、患者身体構造に対応する、ことと、
前記放射性基準および患者プラットフォームに結合される前記患者を特定することと、
前記放射性基準の場所を使用して、前記患者身体構造を前記患者プラットフォームに位置合わせすることと
を含む、方法。
（項目６２）
前記放射性基準は、ヒドロゲルを含む、項目６１に記載の方法。
（項目６３）
前記放射性基準は、約５００キロボルト点源である、項目６１に記載の方法。
（項目６４）
患者身体構造を位置付ける方法であって、
患者の着目内部領域を特定することと、
放射性基準を前記着目領域に埋め込むことと、
前記放射性基準と患者プラットフォームに結合される患者とを特定することと、
前記放射性基準の場所を使用して、前記着目領域を前記患者プラットフォームに位置合わせすることと
を含む、方法。